(57)【特許請求の範囲】
【請求項１】
限られた表示領域に、建物の利用状況を表示する情報処理システムであって、
第１の期間より短い第２の期間が定められ、前記第１の期間が複数の前記第２の期間を含み、前記第１の期間におけるエネルギー量の変化を示す第１の情報から前記第２の期間ごとの当該第１の情報の代表値を生成し、前記生成された代表値に基づいた折れ線グラフと棒グラフの何れかのグラフを生成して、当該グラフの背景部分を視認可能な状態で表示させる第１表示処理部と、
前記第１の情報の前記第２の期間内の変化の傾向が第１判定条件に基づいて判定されて、前記判定の結果を示す第１ラベル情報を、前記グラフの背景部分における前記第２の期間に対応する表示範囲に表示させる第２表示処理部と、
複数の前記第２の期間のうちから第１ラベル情報の表示が正しくない第２期間を特定するための処理を開始する第１操作を受け付けて、
前記第１ラベル情報を表示させた後に、前記第１ラベル情報の表示が正しくない特定の第２の期間の表示範囲と前記特定の第２の期間に対応する第２ラベル情報とを指定する第２操作を受け付けて、前記第２ラベル情報を、前記特定の第２の期間の前記変化の傾向に対応するラベル情報として記憶領域に格納させ、
前記第１ラベル情報の表示が正しくない第２期間を特定するための処理を終了させる第３操作を受け付ける異常値受付処理部と
を備え、
少なくとも前記特定の第２の期間の前記変化の傾向に対応するラベル情報として記憶領域に格納された前記第２ラベル情報は、教師付き機械学習によって前記第１判定条件に代わる第２判定条件を生成させるための処理の学習用データの少なくとも一部に用いられ、
前記異常値受付処理部が前記第３操作を受け付けた後、前記学習用データに基づいた前記教師付き機械学習によって前記第２判定条件が生成され、前記教師付き機械学習の結果により前記第１判定条件が前記第２判定条件に置き換わり、
前記第２表示処理部は、前記第１判定条件に代えて前記第２判定条件に基づいて判定する
ことを特徴とする情報処理システム。
【請求項２】
前記ラベル情報を表示する表示範囲が、前記複数の第２の期間に対応させてそれぞれ定められ、
前記第２表示処理部は、
前記ラベル情報を表示する表示範囲の表示を、前記ラベル情報の値に応じた彩度、明るさ、若しくは、互いに異なる彩度又は明るさを示す領域の密度比になるように調整する
ことを特徴とする請求項１に記載の情報処理システム。
【請求項３】
一の表示領域内に、前記代表値と前記ラベル情報とを表示する第１の表示領域と、前記第１の期間のうちから指定された第２の期間に対応する前記第１の情報を表示する第２の表示領域とが設けられており、
何れかの前記第２の期間が指定された後、前記指定された第２の期間に対応する前記第１の情報を、前記指定に応じて前記第２の表示領域に表示させる第３表示処理部
を備えることを特徴とする請求項１又は２に記載の情報処理システム。
【請求項４】
前記第１表示処理部は、
前記建物におけるエネルギー量の変化を示す情報を前記グラフ化して表示して、
前記第１の情報が、前記エネルギー量の変化を示す一又は複数の種類の情報を含む
ことを特徴とする請求項１から３の何れか１項に記載の情報処理システム。
【請求項５】
前記第１表示処理部は、
前記建物における電力量の変化を前記グラフ化して表示して、
前記第１の情報が、前記建物における電力量の変化を示す一又は複数の種類の情報を含む
ことを特徴とする請求項１から３の何れか１項に記載の情報処理システム。
【請求項６】
前記第１表示処理部は、
前記建物における外気温又は室温の変化を前記グラフ化して表示して、
前記第１の情報が、前記建物の利用状況に係る一又は複数の種類の情報であり、
前記一又は複数の種類の情報に前記建物における外気温又は室温を含む
ことを特徴とする請求項１から３の何れか１項に記載の情報処理システム。
【請求項７】
前記ラベル情報を表示する表示範囲が、前記生成された代表値を示すグラフを表示する範囲に重ねて定められている
ことを特徴とする請求項１から６の何れか１項に記載の情報処理システム。
【請求項８】
前記第２表示処理部は、
前記第１の情報を含む情報に基づいて前記第２の期間における前記第１の情報の変化の傾向がクラス分けされ、前記クラス分けの結果に基づいてラベル情報が生成されており、前記生成されたラベル情報を前記グラフに対応づけて表示させる
ことを特徴とする請求項１から７の何れか１項に記載の情報処理システム。
【請求項９】
建物におけるエネルギー量の変化を示す情報を時系列に応じて表示する情報処理システムにおける情報処理方法であって、
情報処理システムが、
第１の期間より短い第２の期間が定められ、前記第１の期間が複数の前記第２の期間を含み、前記第１の期間におけるエネルギー量の変化を示す第１の情報から前記第２の期間ごとの当該第１の情報の代表値を生成し、前記生成された代表値に基づいた折れ線グラフと棒グラフの何れかのグラフを生成して、当該グラフの背景部分を視認可能な状態で表示させるステップと、
前記第１の情報の前記第２の期間内の変化の傾向が第１判定条件に基づいて判定されて、前記判定の結果を示すラベル情報を、前記グラフの背景部分における前記第２の期間に対応する表示範囲に表示させるステップと、
複数の前記第２の期間のうちから第１ラベル情報の表示が正しくない第２期間を特定するために、前記第１ラベル情報を表示させた後に、前記第１ラベル情報の表示が正しくない特定の第２の期間の表示範囲と前記特定の第２の期間に対応する第２ラベル情報を、前記特定の第２の期間の前記変化の傾向に対応するラベル情報として記憶領域に格納させ、
学習用データに基づいた教師付き機械学習によって第２判定条件が生成され、前記教師付き機械学習の結果により前記第１判定条件に代えて前記第２判定条件に基づいて判定するように前記第１判定条件を前記第２判定条件に置き換えるステップと
を含み、
少なくとも前記特定の第２の期間の前記変化の傾向に対応するラベル情報として記憶領域に格納された前記第２ラベル情報は、前記教師付き機械学習によって前記第１判定条件に代わる前記第２判定条件を生成させるための処理の前記学習用データの少なくとも一部に用いられる、
ことを特徴とする情報処理方法。
【請求項１０】
建物におけるエネルギー量の変化を示す情報を時系列に応じて表示する情報処理システムのコンピュータに、
第１の期間より短い第２の期間が定められ、前記第１の期間が複数の前記第２の期間を含み、前記第１の期間におけるエネルギー量の変化を示す第１の情報から前記第２の期間ごとの当該第１の情報の代表値を生成するステップと、
前記生成された代表値に基づいた折れ線グラフと棒グラフの何れかのグラフを生成して、当該グラフの背景部分を視認可能な状態で表示させるステップと、
前記第１の情報の前記第２の期間内の変化の傾向が第１判定条件に基づいて判定されて、前記判定の結果を示すラベル情報を、前記グラフの背景部分における前記第２の期間に対応する表示範囲に表示させるステップと、
複数の前記第２の期間のうちから第１ラベル情報の表示が正しくない第２期間を特定するために、前記第１ラベル情報を表示させた後に、前記第１ラベル情報の表示が正しくない特定の第２の期間の表示範囲と前記特定の第２の期間に対応する第２ラベル情報を、前記特定の第２の期間の前記変化の傾向に対応するラベル情報として記憶領域に格納させ、
学習用データに基づいた教師付き機械学習によって第２判定条件が生成され、前記教師付き機械学習の結果により前記第１判定条件に代えて前記第２判定条件に基づいて判定するように前記第１判定条件を前記第２判定条件に置き換えるステップと
を実行させるためのプログラムであって、
少なくとも前記特定の第２の期間の前記変化の傾向に対応するラベル情報として記憶領域に格納された前記第２ラベル情報は、前記教師付き機械学習によって前記第１判定条件に代わる前記第２判定条件を生成させるための処理の前記学習用データの少なくとも一部に用いられる、
プログラム。
【発明の詳細な説明】
【技術分野】
【０００１】
本発明は、情報処理システム、情報処理方法、及びプログラムに関する。
【背景技術】
【０００２】
建物に付帯する設備の利用状況を表示する情報処理システムがある。情報処理システムは、当該建物に付帯する設備の利用状況を、当該建物及び当該建物に付帯する設備に係る複数の種類の情報を組み合わせて表示することによって、建物の利用状況を可視化して判読できるようにする。このような情報処理システムとして、限られた表示領域に複数の種類の情報を表示する情報処理システムが知られている（例えば、特許文献１参照）。
【先行技術文献】
【特許文献】
【０００３】
【特許文献１】特開２０１４−５４１６３号公報
【発明の概要】
【発明が解決しようとする課題】
【０００４】
しかしながら、特許文献１のように、限られた表示範囲に複数の種類の情報を表示すると、かえって表示された結果が煩雑になり建物の利用状況を判読しにくくなる場合がある。
【０００５】
本発明は、斯かる実情に鑑みなされたものであり、本発明の目的は、建物の利用状況を判読しやすく表示する情報処理システム、情報処理方法、及びプログラムを提供することにある。
【課題を解決するための手段】
【０００６】
本発明は、上記課題を解決するためになされたものであり、本発明の第１の態様は、限られた表示領域に、建物の利用状況を表示する情報処理システムであって、第１の期間より短い第２の期間が定められ、前記第１の期間が複数の前記第２の期間を含み、前記第１の期間におけるエネルギー量の変化を示す第１の情報から前記第２の期間ごとの当該第１の情報の代表値を生成し、前記生成された代表値に基づいた折れ線グラフと棒グラフの何れかのグラフを生成して、当該グラフの背景部分を視認可能な状態で表示させる第１表示処理部と、前記第１の情報の前記第２の期間内の変化の傾向が第１判定条件に基づいて判定されて、前記判定の結果を示す第１ラベル情報を、前記グラフの背景部分における前記第２の期間に対応する表示範囲に表示させる第２表示処理部と、複数の前記第２の期間のうちから第１ラベル情報の表示が正しくない第２期間を特定するための処理を開始する第１操作を受け付けて、前記第１ラベル情報を表示させた後に、前記第１ラベル情報の表示が正しくない特定の第２の期間の表示範囲と前記特定の第２の期間に対応する第２ラベル情報とを指定する第２操作を受け付けて、前記第２ラベル情報を、前記特定の第２の期間の前記変化の傾向に対応するラベル情報として記憶領域に格納させ、前記第１ラベル情報の表示が正しくない第２期間を特定するための処理を終了させる第３操作を受け付ける異常値受付処理部とを備え、少なくとも前記特定の第２の期間の前記変化の傾向に対応するラベル情報として記憶領域に格納された前記第２ラベル情報は、教師付き機械学習によって前記第１判定条件に代わる第２判定条件を生成させるための処理の学習用データの少なくとも一部に用いられ、前記異常値受付処理部が前記第３操作を受け付けた後、前記学習用データに基づいた前記教師付き機械学習によって前記第２判定条件が生成され、前記教師付き機械学習の結果により前記第１判定条件が前記第２判定条件に置き換わり、前記第２表示処理部は、前記第１判定条件に代えて前記第２判定条件に基づいて判定することを特徴とする情報処理システムである。
【０００７】
また、上記の情報処理システムにおいて、前記ラベル情報を表示する表示範囲が、前記複数の第２の期間に対応させてそれぞれ定められ、前記第２表示処理部は、前記ラベル情報を表示する表示範囲の表示を、前記ラベル情報の値に応じた彩度、明るさ、若しくは、互いに異なる彩度又は明るさを示す領域の密度比になるように調整することを特徴とする。
【０００８】
また、上記の情報処理システムにおいて、一の表示領域内に、前記代表値と前記ラベル情報とを表示する第１の表示領域と、前記第１の期間のうちから指定された第２の期間に対応する前記第１の情報を表示する第２の表示領域とが設けられており、上記の情報処理システムは、何れかの前記第２の期間が指定された後、前記指定された第２の期間に対応する前記第１の情報を、前記指定に応じて前記第２の表示領域に表示させる第３表示処理部を備えることを特徴とする。
【０００９】
また、上記の情報処理システムにおいて、前記第１表示処理部は、前記建物におけるエネルギー量の変化を示す情報を前記グラフ化して表示して、前記第１の情報が、前記エネルギー量の変化を示す一又は複数の種類の情報を含むことを特徴とする。
【００１０】
また、上記の情報処理システムにおいて、前記第１表示処理部は、前記建物における電力量の変化を前記グラフ化して表示して、前記第１の情報が、前記建物における電力量の変化を示す一又は複数の種類の情報を含むことを特徴とする。
【００１１】
また、上記の情報処理システムにおいて、前記第１表示処理部は、前記建物における外気温又は室温の変化を前記グラフ化して表示して、前記第１の情報が、前記建物の利用状況に係る一又は複数の種類の情報であり、前記一又は複数の種類の情報に前記建物における外気温又は室温を含むことを特徴とする。
【００１２】
また、上記の情報処理システムにおいて、前記ラベル情報を表示する表示範囲が、前記生成された代表値を示すグラフを表示する範囲に重ねて定められていることを特徴とする。
【００１３】
また、上記の情報処理システムにおいて、前記第２表示処理部は、前記第１の情報を含む情報に基づいて前記第２の期間における前記第１の情報の変化の傾向がクラス分けされ、前記クラス分けの結果に基づいてラベル情報が生成されており、前記生成されたラベル情報を前記グラフに対応づけて表示させることを特徴とする。
【００１４】
また、本発明の第２の態様は、建物におけるエネルギー量の変化を示す情報を時系列に応じて表示する情報処理システムにおける情報処理方法であって、情報処理システムが、第１の期間より短い第２の期間が定められ、前記第１の期間が複数の前記第２の期間を含み、前記第１の期間におけるエネルギー量の変化を示す第１の情報から前記第２の期間ごとの当該第１の情報の代表値を生成し、前記生成された代表値に基づいた折れ線グラフと棒グラフの何れかのグラフを生成して、当該グラフの背景部分を視認可能な状態で表示させるステップと、前記第１の情報の前記第２の期間内の変化の傾向が第１判定条件に基づいて判定されて、前記判定の結果を示すラベル情報を、前記グラフの背景部分における前記第２の期間に対応する表示範囲に表示させるステップと、複数の前記第２の期間のうちから第１ラベル情報の表示が正しくない第２期間を特定するために、前記第１ラベル情報を表示させた後に、前記第１ラベル情報の表示が正しくない特定の第２の期間の表示範囲と前記特定の第２の期間に対応する第２ラベル情報を、前記特定の第２の期間の前記変化の傾向に対応するラベル情報として記憶領域に格納させ、学習用データに基づいた教師付き機械学習によって第２判定条件が生成され、前記教師付き機械学習の結果により前記第１判定条件に代えて前記第２判定条件に基づいて判定するように前記第１判定条件を前記第２判定条件に置き換えるステップとを含み、少なくとも前記特定の第２の期間の前記変化の傾向に対応するラベル情報として記憶領域に格納された前記第２ラベル情報は、前記教師付き機械学習によって前記第１判定条件に代わる前記第２判定条件を生成させるための処理の前記学習用データの少なくとも一部に用いられる、ことを特徴とする情報処理方法である。
【００１５】
また、本発明の第３の態様は、建物におけるエネルギー量の変化を示す情報を時系列に応じて表示する情報処理システムのコンピュータに、第１の期間より短い第２の期間が定められ、前記第１の期間が複数の前記第２の期間を含み、前記第１の期間におけるエネルギー量の変化を示す第１の情報から前記第２の期間ごとの当該第１の情報の代表値を生成するステップと、前記生成された代表値に基づいた折れ線グラフと棒グラフの何れかのグラフを生成して、当該グラフの背景部分を視認可能な状態で表示させるステップと、前記第１の情報の前記第２の期間内の変化の傾向が第１判定条件に基づいて判定されて、前記判定の結果を示すラベル情報を、前記グラフの背景部分における前記第２の期間に対応する表示範囲に表示させるステップと、複数の前記第２の期間のうちから第１ラベル情報の表示が正しくない第２期間を特定するために、前記第１ラベル情報を表示させた後に、前記第１ラベル情報の表示が正しくない特定の第２の期間の表示範囲と前記特定の第２の期間に対応する第２ラベル情報を、前記特定の第２の期間の前記変化の傾向に対応するラベル情報として記憶領域に格納させ、学習用データに基づいた教師付き機械学習によって第２判定条件が生成され、前記教師付き機械学習の結果により前記第１判定条件に代えて前記第２判定条件に基づいて判定するように前記第１判定条件を前記第２判定条件に置き換えるステップとを実行させるためのプログラムであって、少なくとも前記特定の第２の期間の前記変化の傾向に対応するラベル情報として記憶領域に格納された前記第２ラベル情報は、前記教師付き機械学習によって前記第１判定条件に代わる前記第２判定条件を生成させるための処理の前記学習用データの少なくとも一部に用いられる、プログラムである。
【発明の効果】
【００１６】
本発明によれば、建物の利用状況を判読しやすく表示する情報処理システム、情報処理方法、及びプログラムを提供できる。
【図面の簡単な説明】
【００１７】
【図１】本発明の実施形態に係る情報処理システムの概要を示す説明図である。
【図２】本実施形態の情報処理システムによる情報の可視化を示す表示画面の構成の一例を示す説明図である。
【図３】図２に示した表示の例と異なる表示画面の構成の例について説明する図（その１）である。
【図４】図２に示した表示の例と異なる表示画面の構成の例について説明する図（その２）である。
【図５】図２に示した表示の例と異なる表示画面の構成の例について説明する図（その３）である。
【図６】図２に示した表示の例と異なる表示画面の構成の例について説明する図（その４）である。
【図７】図２に示した表示の例と異なる表示画面の構成の例について説明する図（その５）である。
【図８】図２に示した表示の例と異なる表示画面の構成の例について説明する図（その６）である。
【図９】本実施形態の情報処理システムによる情報を分類する学習処理の表示画面の構成の例を示す図である。
【図１０】本実施形態の履歴データの構成例を説明する図である。
【図１１】本実施形態の分類データの構成例を説明する図である。
【図１２】本実施形態の情報処理システムにおける処理の手順を示すフローチャートである。
【発明を実施するための形態】
【００１８】
以下、本発明の実施の形態を、添付図面を参照して説明する。
【００１９】
図１は、本発明の実施形態に係る情報処理システムの概要を示す説明図である。同図に示される情報処理システム１は、表示部９０が表示する限られた表示領域に、建物の利用状況を表示する。情報処理システム１が表示する期間として、第１の期間と第１の期間より短い第２の期間とが定められている。例えば、第１の期間を１月とし、第２の期間を１日とする。当該第１の期間に複数の前記第２の期間が含まれるように設定されている。情報処理システム１は、第１の期間におけるエネルギー量の変化を示す第１の情報から前記第２の期間ごとの当該第１の情報の代表値を生成し、前記生成された代表値をグラフにして表示させる。情報処理システム１は、前記第１の情報の前記第２の期間内の変化の傾向にラベル情報を対応させて、前記グラフの前記第２の期間に当該ラベル情報を対応づけて表示させる。
【００２０】
また、このような表示方法により情報を表示する情報処理システム１は、建物に付帯する設備の利用状態を、当該建物におけるエネルギー量の変化に基づいて解析するようにして、その処理の過程で上記の表示を行うように構成してもよい。例えば、情報処理システム１は、前記第１の期間のエネルギー量の変化を示す履歴情報に基づいて、前記第２の期間のエネルギー量の変化の傾向を、前記第２の期間ごとに分類して分類結果を記憶させるとともに、上記の表示方法により分類結果を表示する。ユーザは、分類結果の表示を参照して、上記の分類結果を補正する情報を情報処理システム１に供給する。情報処理システム１は、外部から取得した補正情報により、前記分類結果を補正して、前記補正された後の分類結果を記憶する。情報処理システム１は、前記補正された後の分類結果に基づいて、前記履歴情報に対応する前記第1の期間より後の期間のエネルギー量の変化の傾向を判定する。
【００２１】
以下、同図に示される情報処理システム１の構成について説明する。
情報処理システム１は、情報取得部１０、分類処理部２０、表示処理部３０、学習処理部４０、判定処理部５０、記憶部７０、通信処理部８０、及び、表示部９０を備える。
【００２２】
情報取得部１０は、外部から供給される各種データを受けて、受け付けた各種データを、各種データの種別に応じた記憶部７０にそれぞれ記憶させる。情報取得部１０は、外部から補正情報を取得して、学習処理部４０における学習処理に用いる情報として取得した情報を供給する。例えば、表示処理部３０が表示した期間における分類結果が記憶部７０に記憶されており、情報取得部１０は、その分類結果を学習処理部４０に補正させる補正情報を受け付けて、受け付けた補正情報に応じて記憶部７０に記憶されている分類結果を書き換える。なお、情報取得部１０は、受け付けた各種データから、その代表値を算出して記憶部７０に記憶させる。
【００２３】
分類処理部２０は、１月分（第１の期間）のエネルギー量の変化を示す履歴情報（データ）を含む情報から日ごとのエネルギー量の変化の傾向を分類する。例えば、以下の説明では、分類処理部２０は、１日のエネルギー量の変化の傾向を日ごとに分類する。エネルギー量の変化を示す履歴情報（データ）として、消費電力量、温度（外気温、室温）、湿度などの情報を含む。なお、分類に用いる情報として、建物（施設）を利用していた利用者数なども加えてもよい。各種情報を含むこれらの情報を１日単位の時系列データとして纏めて、纏めた情報をその日の特徴を示すデータにする。
分類処理部２０における分類の手法は、制約条件なしの分類手法に基づくものとする。制約条件なしの分類手法とは、例えば、ｋ−ｍｅａｎｓクラスタリング手法などがある。ｋ−ｍｅａｎｓクラスタリング手法では、最初に分類する数ｋを定めておくことができる。以下の説明では、例えば１０個のクラスタに分類する場合を例に挙げて説明する。
【００２４】
表示処理部３０は、その日におけるエネルギー量の変化の傾向を示すラベル情報を表示させる。ラベル情報とは、前述のクラスタリング手法により分類された結果の各クラスタを識別する情報のことである。例えば、同じクラスタに属する日には、同じラベル情報が表示される。
例えば、表示処理部３０は、パターン分類結果表示処理部３１、代表値表示処理部３２、及び、収集データ表示処理部３３を備える。パターン分類結果表示処理部３１は、１月分のエネルギー量の変化を示す情報のうちから抽出した１日の変化の傾向にあったラベル情報を抽出した日の代表値を示すグラフ上の位置に対応づけて表示させる。例えば、パターン分類結果表示処理部３１は、上記の日に対応するグラフの位置の背景に、分類処理部２０によって分類された結果に応じて選択されたラベル情報を表示させる。代表値表示処理部３２は、１月分のエネルギー量の変化を示す情報から日ごとの当該エネルギー量の代表値を生成し、生成された代表値をグラフにして表示させる。収集データ表示処理部３３は、１月分のエネルギー量の変化を示す情報から日ごとの当該エネルギー量の情報をグラフにして表示させる。
【００２５】
学習処理部４０は、情報取得部１０を介して外部から取得した補正情報により、前記分類された結果を補正して、前記補正された後の分類結果を記憶させる。なお、学習処理部４０は、教師付型の学習手法に基づいて判定条件を学習して、学習した結果を記憶部７０に記憶させる。例えば、学習処理部４０は、分類処理部２０によって分類された結果を示すパターン情報を学習して、学習した結果を新たなパターン情報として記憶部７０に記憶させる。
【００２６】
判定処理部５０は、学習処理部４０により学習された判定ルールに従って判定処理をする。判定処理部５０は、分類処理部２０によって分類された結果を基にして、履歴情報に対応する月（第1の期間）より後の月（期間）のエネルギー量の変化の傾向を判定する。判定処理部５０は、学習処理部４０によって補正された後の分類結果に基づいて、履歴情報に対応する月（第1の期間）より後の月（期間）のエネルギー量の変化の傾向を判定するようにしてもよい。
【００２７】
通信処理部８０は、外部の装置と通信する。例えば、外部の装置は、情報処理システム１に所望の処理を要求する端末装置、サーバ等を含む。
表示部９０は、上記の各表示処理部により生成された画像情報を表示する。例えば、表示部８０は、ＬＣＤ等を含んで構成されるものであってもよい。
【００２８】
記憶部７０は、履歴データ記憶部７１、分類データ記憶部７２、及び、学習結果記憶部７４を備える。
履歴データ記憶部７１は、外部から収集された各種データを時系列データとして記憶する。例えば、履歴データ記憶部７１は、図１０に示すデータを記憶する。同図は、履歴データの構成例を説明する図である。同図に示すように、履歴データは、対象の日を特定する識別情報、当該対象の日の複数の種類の測定データを時系列データとしてデータベースを成して記憶される。例えば、同図に示されている履歴データは、消費電力ＸＤＰ、温度ＸＤＴ、湿度ＸＤＨが含まれる。各データは、毎時定期的に計測されたデータが履歴情報として記憶されている。例えば、消費電力ＸＤＰのデータは、１時から２４時まで１時間ごとの時間順に、ＸＰ１、ＸＰ２、ＸＰ３、ＸＰ４、・・・、ＸＰ２４として、Ｄｋ日の情報として記憶されている。温度ＸＤＴと湿度ＸＤＨとにおいても、消費電力ＸＤＰと同様であり、温度ＸＤＴのデータは、１時から２４時まで１時間ごとの時間順に、ＸＴ１、ＸＴ２、ＸＴ３、ＸＴ４、・・・、ＸＴ２４として、Ｄｋ日の情報として記憶されている。湿度ＸＤＨのデータは、１時から２４時まで１時間ごとの時間順に、ＸＨ１、ＸＨ２、ＸＨ３、ＸＨ４、・・・、ＸＨ２４として、Ｄｋ日の情報として記憶されている。
以上に示した履歴データは、以下で説明する処理の中で用いる１日分のデータである。例えば、所定の日における測定データの項目を１つのレコードに含むデータベースを成して記憶される。履歴データ記憶部７１に記憶されるデータの各レコードは、予め定められた所定の間隔に応じて定められた時刻に応じて生成され、識別情報をキーにしてレコードごとに参照可能な状態で記憶される。
【００２９】
例えば、履歴データ記憶部７１は、それぞれ測定された測定データを加工せずにそのまま記憶するものとする。加工せずに記憶された測定データから代表値を生成した場合、履歴データ記憶部７１は、それぞれの代表値を併せて記憶するようにしてもよい。例えば、代表値は、下記のような生成方法により生成できる。
【００３０】
消費電力ＸＤＰのデータの代表値を平均値とする場合、Ｄｋ日の平均消費電力ＸＤＰｋは下記の式（１）から算出できる。
【００３１】
ＸＤＰｋ=（ＸＰ１＋ＸＰ２＋ＸＰ３＋ＸＰ４＋・・・＋ＸＰ２４）／２４  …（１）
【００３２】
また、温度ＸＤＴと湿度ＸＤＨとにおいても、消費電力ＸＤＰと同様に、温度ＸＤＴと湿度ＸＤＨのデータの代表値を平均値とする。この場合、Ｄｋ日の平均温度ＸＤＴｋと平均湿度ＸＤＨｋは下記の式（２）、式（３）から算出できる。
【００３３】
ＸＤＴｋ=（ＸＴ１＋ＸＴ２＋ＸＴ３＋ＸＴ４＋・・・＋ＸＴ２４）／２４  …（２）
【００３４】
ＸＤＨｋ=（ＸＨ１＋ＸＨ２＋ＸＨ３＋ＸＨ４＋・・・＋ＸＨ２４）／２４  …（３）
【００３５】
上記のような処理を、履歴情報として記憶されている測定データに対して施すことにより、１日の代表値を算出することができる。履歴データ記憶部７１は、上記の代表値を測定データとともに記憶するようにしてもよい。以上に示した１日分の測定データとその代表値を纏めて、測定データＸＤｋとして示す。
【００３６】
分類データ記憶部７２は、分類処理の対象である元データと分類処理の結果を示す出力データとを関連付けて記憶する。例えば、分類データ記憶部７２は、図１１に示すように構成される。同図は、分類データの構成例を説明する図である。同図に示すように、分類データ記憶部７２は、入力データとして、日ごとの測定データＸＤ１、ＸＤ２、ＸＤ３、ＸＤ４、・・・、ＸＤ３１を日付に対応づけて順に記憶する。この測定データＸＤ１、ＸＤ２、ＸＤ３、ＸＤ４、・・・、ＸＤ３１は、それぞれが前述の履歴データ記憶部７１の構成を備えていてもよく、この場合、記憶場所を共有することができる。なお、この測定データＸＤ１、ＸＤ２、ＸＤ３、ＸＤ４、・・・、ＸＤ３１は、それぞれが前述の履歴データ記憶部７１を参照するように構成してもよく、この場合、履歴データ記憶部７１の記憶場所は、分類データ記憶部７２と分けて設けられることになる。
【００３７】
また、分類データ記憶部７２は、出力データとして、日ごとの分類結果を示すクラスタの識別情報（ラベル情報）Ｙ１、Ｙ２、Ｙ３、Ｙ４、・・・、Ｙ３１を日付に対応づけて順に記憶する。上記は、エリアＡにおける特定の月（例えば、２０１Ｘ年８月）のデータを示すが、エリアＢ、Ｃ、Ｄ、においてもエリアＡと同様に入力データと出力データとが日付に関連付けられてそれぞれ記憶される。同図におけるエリアＢ、Ｃ、Ｄの詳細な構成の記載を省略する。
分類データ記憶部７２における日ごとのラベル情報は、後述する分類処理の実施によって纏めて設定される。また、分類データ記憶部７２における日ごとのラベル情報は、後述する学習処理の過程で個別に補正して設定することができ、新たに設定されたデータが当該ラベル情報として記憶される。
【００３８】
学習結果記憶部７４は、分類データ記憶部７２に記憶されたラベル情報に基づいて学習処理が行われ、その学習結果を記憶する。学習結果記憶部７４が記憶するデータは、学習処理の方式、判定結果に必要とされる判定精度などにより異なるものとなる。例えば、学習処理の方法としてＳＶＭ（Support vector machine）を適用する場合には、その学習結果を示すデータは、ＳＶＭにおける超平面を定義するデータになる。ＳＶＭにおける超平面とは、異なるグループ(クラスタ)に含まれるべき要素を互いに異なるグループになるように分類する面のことである。学習結果記憶部７４に記憶されるデータは、ＳＶＭによって分類するグループの数に応じて設定され、それぞれのグループを区分するための超平面のデータとして記憶される。ここでいう「グループ」は、エネルギー量の変化の傾向（パターン）が類似する日が含まれるように形成されており、前述のクラスタに対応する。
【００３９】
次に、上記のように構成された情報処理装置１が実施する処理について順に説明する。
【００４０】
（情報を可視化する処理について）
図２から図８を参照して、本実施形態の情報処理システムによる情報の可視化について説明する。
図２は、本実施形態の情報処理システムによる情報の可視化を示す表示画面の構成の一例を示す説明図である。同図における符号１００は、表示画面の全領域を示す。
表示画面１００の下部中央に符号１１０で示す表示領域が設けられている。例えば、表示領域１１０は、対象とする施設の１フロアを示す平面図である。
表示領域１１０に示されるフロアは、４つの区画に分割してそれぞれ管理され、分割された区画を単位に、区画ごとに当該区画の範囲に係る各種状態が収集されている。ここでは、４つの区画に対応させて４つの範囲を定め、それぞれの範囲を範囲Ａ，Ｂ，Ｃ，Ｄとして説明する。以下の説明において、範囲Ａには、コミュニケ―ションのためのエリアが含まれ、範囲ＢとＣには、オフィスエリアが含まれ、範囲Ｄには、サーバなどの機器が置かれたサーバエリアが含まれている。
なお、以下の説明において、上記の施設における設備の利用状況を管理する目的で収集した各種データを纏めて「BEMSデータ」という。「BEMSデータ」には、設備において消費されるエネルギー量などを示すデータが含まれる。
【００４１】
また、表示画面１００の上部に符号１２０で示す表示領域が設けられている。例えば、表示領域１２０は、対象とする施設の1ヶ月分の気温や湿度の変化と空調設備による消費電力の変化などを示す領域である。
同図に示された表示領域１２０は、表示領域１２０−１、１２０−２、１２０−３、１２０−４の４段に分かれている。各段のそれぞれは、対象とする施設のうちから選択された４つの範囲に対応させている。例えば、表示領域１２０−１、１２０−２、１２０−３、１２０−４は、施設の範囲Ａ，Ｂ，Ｃ，Ｄにそれぞれ対応する。ここでは、施設の４つの範囲の状況を比較できるように、各範囲に対応させて４段に分けて表示させているが、比較の対象に設定する範囲の数や、分割して表示する段数は、各システムの必要に応じて適宜定めることができる。以下、４つに分けて表示する場合を例に挙げて説明を行う。
表示領域１２０における横軸は、表示領域１２０−１、１２０−２、１２０−３、１２０−４に共通に設定され、１月のうちの日付を示す。ここでは、横軸の左端が１日を示し、右端が３１日（又は２８日から３０日）を示す。表示領域１２０−１、１２０−２、１２０−３、１２０−４の縦軸は、それぞれの範囲における気温、湿度、消費電力を示す。
【００４２】
表示領域１２０−１に、施設の範囲Ａにおける気温と湿度と空調設備の消費電力との変化を折れ線グラフにして表示する。折れ線グラフの各点は、1日ごとの計測値の平均値を示し、算出した平均値をその日の代表値とする。例えば、表示領域１２０−１に示される折れ線グラフのうち、気温（室温）を太線で示し、湿度を実線で示し、空調設備の消費電力を破線で示す。
表示領域１２０−２に、施設の範囲Ｂにおける気温と湿度と空調設備の消費電力の変化を折れ線グラフにして表示する。表示領域１２０−３に、施設の範囲Ｃにおける気温と湿度と空調設備の消費電力の変化を折れ線グラフにして表示する。表示領域１２０−４に、施設の範囲Ｄにおける気温と湿度と空調設備の消費電力の変化を折れ線グラフにして表示する。表示領域１２０−２から１２０−４に示す折れ線グラフの各点は、表示領域１２０−１と同様に、その日の代表値を示し、その値は、それぞれ対応する施設の範囲の1日ごとの計測値の平均値とする。上記の表示領域１２０−２から１２０−４は、代表値表示処理部３２の処理により表示されている。
また、表示領域１２０−３の左端に当たる１日と、１３日、１４日、１６日、１９日などの日にグラフの背景に網掛け表示がされている。この表示が付されている日は、１日の変化が類似する日として分類された日を示す。上記の表示領域１２０−１から１２０−４において、１日の変化が類似する日を示す網掛けは、パターン分類結果表示処理部３１の処理により表示されている。
【００４３】
表示画面１００の下部左側に符号１３０で示す表示領域が設けられている。例えば、表示領域１３０は、施設の特定の範囲を対象の範囲として、特定の1日の気温の変化と空調設備による消費電力の変化などを示す領域である。例えば、表示領域１３０には、施設の範囲Ａにおける特定の日の計測値の１日分の推移が示されている。例えば、表示領域１２０−１に示される折れ線グラフのうち、室温を太線で示し、湿度を実線で示し、空調設備の消費電力を破線で示す。上記の表示領域１３０は、収集データ表示処理部３３の処理により表示されている。
【００４４】
各種設備で消費されるエネルギー量(電力量など)や室温や湿度などのデータは、１時間ごとに計測されている。表示領域１３０に示されたグラフは、測定されたデータに基づいて、そのデータの値をグラフにしたものであり、このグラフから1時間ごとにどのように各データの値が変化したかを読み取ることができる。例えば、日射の影響を受ける６時ごろから室温の上昇がみられる。停止させていた空調設備を６時過ぎから機能させたことにより、６時以降に空調設備の消費電力が上昇するとともに、室温の上昇がとまり、所望の温度範囲に収まっていることが読み取れる。また、この日は、夕方、空調設備の稼働状態を調整し、消費電力を低減させたことが読み取れる。
【００４５】
上記のように、情報処理システム１は、表示領域１３０に表示されたグラフからも読み取れるように、各種設備で消費されるエネルギー量(電力量など)や室温や湿度などのデータの特徴に基づいて、同じ特徴を有する日を同じ変化の傾向を示す日として抽出する。
【００４６】
なお、表示領域１３０に示す施設の対象範囲と、特定の日は、下記のような操作手順により選択することができる。例えば、表示領域１２０の折れ線グラフの特定部位をクリックすると、クリックした折れ線グラフに対応する範囲が選択され、折れ線グラフをクリックした位置に対応する日付の計測値の1時間単位の推移が表示領域１３０に表示される。
【００４７】
上記は、1日単位の計測値に基づいて各日の計測値をｋ-ｍｅａｎｓ法でクラスタリングすることで、各日の計測値の変化を所定の個数（ｋ個、例えば、１０個）のパターンに分類し、その分類結果の１例を示している。このように幾つかのパターンに分類することによって、すべての日の計測値の詳細な変化を確認するまでもなく、それぞれの日の計測値がどのような傾向で変化しているかを、パターン分けされた結果から把握することが容易になる。
なお、特別に消費電力が多い日などのように計測値の推移が通常の推移から外れた値（異常値）になった日は、類似の傾向を示す日として選択されないことから、類似の傾向を示す日として選択されなかった日が選択されるべき日であった日を検出することにより、異常値が検出された日を特定することに利用できる。
【００４８】
表示画面１００の右側に符号１５０で示す選択情報表示領域が設けられている。例えば、選択情報表示領域１５０には、「Ｍａｉｎ」というラベルが付いた主操作画面が示されている。主操作画面の下部には、「ｐａｔｔｅｒｎ１」から「ｐａｔｔｅｒｎ１０」という識別情報が順に振られた１０個のラジオボタンと、その上部に「Ｖｉｅｗ  Ｔｒａｎｓｆｏｒｍ」、「Ｖｉｅｗ  Ｏｎ  ｍｏｕｓｅ」という識別情報が振られた２個のラジオボタンと、その上部に「Ｆｉｌｅ  Ｏｐｅｎ」と「Ｖｉｅｗ  Ｒｅｓｅｔ」と表示された２個の操作ボタンとがそれぞれ示されている。
【００４９】
「Ｆｉｌｅ  Ｏｐｅｎ」の操作ボタンが操作されると、履歴データ記憶部７１に記憶されている履歴データファイルを開いて表示画面１００に表示させる処理が表示処理部３０の処理として実施される。また、「Ｖｉｅｗ  Ｒｅｓｅｔ」の操作画面が操作されると、表示画面１００に表示されている状態を初期状態に戻す処理が表示処理部３０の処理として行われる。
【００５０】
「ｐａｔｔｅｒｎ１」から「ｐａｔｔｅｒｎ１０」のいずれかのラジオボタンが選択されると、選択されたパターンに応じて表示領域１２０の表示が切り替わる。表示領域１２０に示すグラフの背景において、選択されたパターン（ｐａｔｔｅｒｎ）に該当する日の領域にハッチングを示して、選択されたパターンの日として分類された日を示す。なお、同図に示されたパターンは、「ｐａｔｔｅｒｎ４」に分類されている。
【００５１】
表示画面１００の右側に符号１５０で示す選択情報表示領域には、「Ｍａｉｎ」というタブが付いた主操作画面の他に、「Ｌｅａｒｎｉｎｇ」というタブが付いた学習操作画面が設けられている。同図では、学習操作画面は、主操作画面に隠れており、表示されていない。主操作画面と学習操作画面の表示の切り替えは、各タブを選択することにより、タブに対応する画面に切り替わる。学習操作画面の詳細について後述する。
【００５２】
次に図３から図８を参照して、この情報処理システム１によって、1ヶ月間の「BEMSデータ」から得られたパターンの他の例を説明する。図３から図８は、図２に示した表示の例と異なる表示画面の構成の例について説明する図である。図３から図８に示す表示の構成も、前述の図２に示した表示画面の例と同様に構成されており、図２に示した表示の例と異なる表示の例をそれぞれ示している。図３から図８の場合も、オフィスフロアを４箇所のエリアに区切り、各々のエリアにおいて消費電力（空調消費電力、照明等消費電力）、気温、湿度の３値を１時間ごとに記録したデータを利用した。またｋ-ｍｅａｎｓ法におけるクラスタ数を１０に固定し、１０種類のパターンに分けて分類結果を可視化する。ここで例示する対象期間を２０１Ｘ年８月の１ヶ月間とする。
【００５３】
まず、図３に示す例では、１日のうちで昼から夕方にかけて空調電力が消費されている。同図に示されるパターンは、範囲Ａから範囲Ｄのすべてのエリアにおいて土曜日と日曜日に頻発していることが、表示領域１２０においてハッチングで示された日の位置から読み取れる。例えば、休日に設定されている土曜日と日曜日の午後に出勤した人がいて、空調設備を利用していたことが推察される。なお、同図に示されたパターンは、「ｐａｔｔｅｒｎ３」に分類されている。
【００５４】
また、図４に示す例では、９時頃に空調電力の消費量が多くなり、1８時頃に少なくなり、そのまま空調電力がゼロとなっている。このパターンはオフィスエリア（範囲Ｂ，Ｃ）の平日において頻発しており、夜間に空調設備が利用されていないことから、その日に残業者がいなかったことが推察される。なお、同図に示されたパターンは、「ｐａｔｔｅｒｎ４」に分類されている。
【００５５】
また、図５に示す例では、９時頃に空調電力の消費量が多くなり、そのまま空調電力の消費量が高い値を保ったまま、気温が下がり続けている。このパターンは、範囲Ｄとして示されるサーバエリアを含むエリアで頻発している。なお、同図に示されたパターンは、「ｐａｔｔｅｒｎ９」に分類されている。
【００５６】
また、図６に示す例では、９時頃に急激に空調電力の消費量が多くなり、午後になっていったん消費量が少なくなっているが、夜になると再び消費量が多くなる。このパターンは範囲Ｄとして示されるサーバエリアを含むエリアで頻発している。なお、同図に示されたパターンは、「ｐａｔｔｅｒｎ１」に分類されている。
上記の図５と図６に示したように、同じエリアであっても、その日の傾向が異なる場合には、異なるパターンに分類される。
【００５７】
また、図７に示す例では、終日、空調電力の消費量がほとんど変化していない。このエリアは、事務机が並んだオフィスエリアであり、通常であれば、平日の夜間や土日に作業者がいないエリアである。このエリアは、作業者が帰宅する際に、空調設備を停止させるように運用されている。例えば、平日の夜間や土日のように作業者がいない場合であれば、空調設備の消費電力は発生しないはずである。ただし、上記の運用のルールがあるにも係わらず、図に示された日は空調設備の消費電力が発生しており、空調設備が運転状態のまま放置されているものと推定できる。つまり、作業者が帰宅した際に、空調設備を停止させることを忘れて帰宅してしまい、空調設備が運転状態にされたまま、休日の土曜日と日曜日とを迎えたのではないかと推察される。なお、同図に示されたパターンは、「ｐａｔｔｅｒｎ７」に分類されている。
【００５８】
また、図８に示す例では、９時頃に空調電力の消費量が多くなり、夕方に、いったん少なくなって０に近づくが再び空調電力の消費量がその日のピーク値に近い値まで上昇している。この日の湿度の変化を参照すると、空調設備を夕方停止した後に湿度の値が急に上昇している。気温の変化がないにもかかわらず湿度の値のみが大きく変化する要因があり、湿度の異常な上昇を抑制するため、夜間に再び空調設備が運転されたことが推定される。なお、同図に示されたパターンは、「ｐａｔｔｅｒｎ８」に分類されている。
【００５９】
以上、図２から図８の表示領域１３０に示すように一日の詳細な変化を見れば、その日の変化を確認することができる。ただし、そのような確認方法では、確認する度に特定のエリアの特定の日を表示領域１３０に表示させなければならず、表示させない場合には、いずれのパターンに類似しているかを特定することができない。また、表示領域１３０に表示しているときに目視により特定することができたとしても、表示領域１３０の表示を切り替えた後では、表示領域１２０の折れ線グラフの表示だけでは特定することができない。
【００６０】
一方、本実施形態に示す方法によれば、表示領域１２０に同じ変化の傾向を示すパターンの日にハッチングを付けて表示することにより、上記のように、表示領域１３０に都度、特定のエリアの特定の日を表示するまでもなく、いずれのパターンに類似しているかを特定できる。
【００６１】
また、同じフロア内であっても、利用の形態が異なる複数のエリアがある場合には、同一フロア中の特定のエリアに限って頻発するパターンや、平日または休日等のように曜日や時間帯に応じて、発生する頻度が異なるパターンなどが存在する。以上に示したように、エリアごと・日ごとに発生する頻度が異なる各パターンの特徴に基づいて、それぞれの日の変化のパターンを分類できる。
【００６２】
上記のようにｋ−ｍｅａｎｓ法によるクラスタリングを行うことにより、一日の変化の傾向から特徴が異なる日をそれぞれ異なるパターンに分類することができる。ただし、状況に応じて変化する要素の影響を受けるほど、必ずしも正しく分類されるとは限らない。例えば、休日であったとしても、休日として分類するパターンとして分類されるとは限らない。より具体的な場合を例示して説明する。例えば、図３における表示領域１２０において、範囲Ａでは、第３週と第４週の休日がパターン３に分類されていない。この日は、表示領域１２０において、範囲Ａの折れ線グラフからもわかるように、消費電力がほとんど発生していなかったものと思われる。休日をパターン３に対応付けするのであれば、消費電力がほとんど発生しない日もパターン３と分類できるように、分類の条件を補正する必要がある。そこで、分類の条件を補正するように情報処理システム１における情報の分類手法を学習させて、分類の精度を高めるようにする。
【００６３】
（情報の分類手法を学習する処理について）
図９を参照して、本実施形態の情報処理システムによる情報の分類方法を学習する処理について説明する。同図は、本実施形態の情報処理システムによる情報の分類方法を学習する学習処理の表示画面の構成例を示す図である。
同図における符号１５０は、表示画面１００の一部の領域を示す。例えば、選択情報表示領域１５０には、「Ｌｅａｒｎｉｎｇ」というタブが付いた学習操作画面が設けられている。なお、同図では、前述の主操作画面は、学習操作画面の陰に隠れており、表示されていない。前述のとおり、主操作画面と学習操作画面の表示の切り替えは、各タブを選択することにより、タブに対応する画面に切り替わる。学習操作画面の詳細について説明する。学習操作画面には、「ＳＶＭ  Ｔｒａｉｎ  Ｓｔａｒｔ」、「ＳＶＭ  Ｓｐｅｃｉｆｙ（１）」、「ＳＶＭ  Ｔｒａｉｎ  Ｆｉｎｉｓｈ」、「ＳＶＭ  Ｐｒｅｄｉｃｔ」と表示された４個の操作ボタンがそれぞれ示されている。
【００６４】
「ＳＶＭ  Ｔｒａｉｎ  Ｓｔａｒｔ」のボタンが操作されると、学習処理部４０によるＳＶＭのための学習処理が開始される。このボタンが操作されてＳＶＭのための学習処理が開始されている状態にある際に、既に各パターンに分類された結果が妥当か否かを、ユーザは画面の表示を通して読み取ることができる。例えば、ユーザは、月ごとのスケジュール表（作業表）などを参照して、正しく分類されていない日を抽出する。
【００６５】
「ＳＶＭ  Ｓｐｅｃｉｆｙ（１）」のボタンが操作されると、正しく分類されていないことを、情報処理システム１に学習させる処理が実施される。例えば、表示領域１３０に表示される特定の日・特定のエリアにおける計測結果が「警告」に値すると判断した時に、同ボタンを操作して、表示領域１３０に表示される特定の日・特定のエリアにおける計測結果に適したパターン番号を選択する。このボタンを所定の時間間隔で操作することにより、ボタンを操作するたびにパターン番号を１から１０まで順に切り替えることができる。図に示された状態は、パターン番号１が選択された状態をボタンの枠内の数字で示している。
【００６６】
「ＳＶＭ  Ｔｒａｉｎ  Ｆｉｎｉｓｈ」のボタンが操作されると、学習処理部４０によるＳＶＭのための学習処理が終了される。これにより、「ＳＶＭ  Ｔｒａｉｎ  Ｓｔａｒｔ」のボタンが操作されてから、「ＳＶＭ  Ｔｒａｉｎ  Ｆｉｎｉｓｈ」のボタンが操作されるまでに行われた、「ＳＶＭ  Ｓｐｅｃｉｆｙ（ｋ）」（例えば、ｋは１から１０の自然数）のボタンが操作されて学習したデータを学習結果として記憶する。
上記の操作により、分類された結果に異常があると判定され、その情報が本ボタンの操作によって学習された後に、正しく要素が分類された状態で、改めて超平面を再定義する。この再定義により、異常と判定された要素を再び以上と判定する確率を低減させることができる。これにより、警告された計測結果に近いパターンが、正しく分類されたクラスタに属するようになる。
【００６７】
「ＳＶＭ  Ｐｒｅｄｉｃｔ」のボタンが操作されると、分類処理部２０による制約付きクラスタリングによりパターン分類をやり直す。なお、ＳＶＭは、異なるグループの要素を分類する超平面を定義して、定義した超平面を基準に新たに検出された要素が何れの空間に位置するものであるかの判定をやり直すことができる。
【００６８】
（建物の利用に応じて変化するエネルギー量を表示する処理の手順）
図１２を参照して、建物の利用に応じて変化するエネルギー量を表示する処理の手順について説明する。同図は、建物の利用に応じて変化するエネルギー量を表示する処理の手順を示すフローチャートである。
【００６９】
情報取得部１０は、情報を取得して、記憶部７０の履歴データ記憶部７１に収集した情報を記憶させる（ステップＳ１０）。
分類処理部２０は、履歴データ記憶部７１の履歴データを参照して、履歴データが示す１日ごとの変化の傾向に基づいた分類処理を実施する（ステップＳ１５）。例えば、この分類処理において、分類処理部２０は、履歴データ記憶部７１の履歴データを参照して、１月分のエネルギー量の変化を示す情報のうちから１日単位でデータを抽出し、抽出した１日分のデータの変化の傾向にも続いて、当該日の傾向を分類する。分類処理部２０は、分類した結果（分類結果）を分類データ記憶部７２に記憶させる。
【００７０】
表示処理部３０の代表値表示処理部３２は、履歴データ記憶部７１の履歴データを参照して、各項目の日毎の代表値を算出するとともに、履歴データ記憶部７１に当該日の各項目の代表値を書き込んで記憶させる。代表値表示処理部３２は、算出した各日の代表値に基づいたグラフを表示領域１２０に表示させる（ステップＳ２０）。
【００７１】
表示処理部３０のパターン分類結果表示処理部３１は、分類データ記憶部７２の分類結果を参照して、同じクラスタに分類されたことを示すラベル情報に応じた表示を、同じクラスタに分類された日の位置に対応づけて表示させる（ステップＳ２５）。
【００７２】
表示処理部３０の収集データ表示処理部３３は、履歴データ記憶部７１の履歴データを参照して、操作によって選択された日ごとの当該エネルギー量の情報をグラフにして表示させる。例えば、収集データ表示処理部３３は、１月分のエネルギー量の変化を示す情報から日ごとの当該エネルギー量の情報をグラフにして表示させる（ステップＳ３０）。
【００７３】
情報取得部１０は、外部から分類結果の補正情報を取得する。学習処理部４０は、情報取得部１０を介して外部から取得した補正情報により、分類データ記憶部７２に記憶されている分類された結果を補正して、前記補正された後の分類結果を分類データ記憶部７２に記憶させる。さらに、学習処理部４０は、補正された後の分類結果に応じた新たなパターン情報に基づいて、判定処理部５０における判定処理をするための判定ルールを学習する（ステップＳ３５）。
【００７４】
判定処理部５０は、学習処理部４０により学習された判定ルールに従って判定処理をする。判定処理部５０は、分類処理部２０によって分類された結果を基にして、履歴情報に対応する月（第1の期間）より後の期間のエネルギー量の変化の傾向を判定する。表示処理部３０は、判定処理部５０による判定の結果を表示部９０に表示させる（ステップＳ４０）。
上記のように表示部９０に表示された判定の結果は、前述の図２から図８に示す表示と同様の表示方法により表示することができる。また、１月分の情報に基づいた分類に基づいて、上記の学習処理を通して、分類を行う判定ルールの精度を高めたことにより、毎日の状況を分類することができる。
【００７５】
以上、本発明の実施形態の情報処理システム１によれば、建物の利用状況を表示する処理により、１つの表示画面内の限られた表示領域に、建物の利用状況を判読しやすく表示することができる。
【００７６】
以上、本発明の実施形態について説明したが、図１に示す情報処理システム１は、内部にコンピュータシステムを有している。そして、上述した処理に関する一連の処理の過程は、プログラムの形式でコンピュータ読み取り可能な記憶媒体に記憶されており、このプログラムをコンピュータが読み出して実行することによって、上記処理が行われる。ここで、コンピュータ読み取り可能な記憶媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳ等も含むものとする。
【００７７】
そして、情報処理システム１における各処理の全部又は一部の処理は、ＣＰＵ等の中央演算処理装置がＲＯＭやＲＡＭ等の主記憶装置に上記プログラムを読み出して、情報の加工、演算処理を実行することにより、実現されるものである。勿論、図１に示す情報処理システム１を構成する各処理部は専用のハードウェアにより実現されるものであってもよい。
【００７８】
なお、ここで、本発明と上記実施形態との対応関係について補足して説明する。上記実施形態において、本発明における情報処理システムは、情報処理システム１が対応し、第１表示処理部は、代表値表示処理部３２が対応し、第２表示処理部は、パターン分類結果表示処理部３１が対応し、第３表示処理部は、収集データ表示処理部３３が対応する。
【００７９】
（１）また、上記のように構成した情報処理システム１では、第１の期間より短い第２の期間が定められ、前記第１の期間が複数の前記第２の期間を含む。代表値表示処理部３２（第１表示処理部）が、前記第１の期間におけるエネルギー量の変化を示す第１の情報から前記第２の期間ごとの当該第１の情報の代表値を生成し、前記生成された代表値をグラフにして表示させる。パターン分類結果表示処理部３１（第２表示処理部）が、前記第１の情報の前記第２の期間内の変化の傾向にラベル情報を対応させて、前記グラフの前記第２の期間に当該ラベル情報を対応づけて表示させる。
これにより、情報処理システム１は、前記第１の情報の前記第２の期間内の変化の傾向にラベル情報を対応させて、前記グラフの前記第２の期間に当該ラベル情報を対応づけて表示させることができることから、建物の利用状況を判読しやすく表示することができる。
【００８０】
（２）また、上記のように構成した情報処理システム１は、前記ラベル情報を表示する表示範囲が、前記複数の第２の期間に対応させてそれぞれ定められている。パターン分類結果表示処理部３１は、前記ラベル情報を表示する表示範囲の表示を、前記ラベル情報の値に応じた彩度、明るさ、若しくは、互いに異なる彩度又は明るさを示す領域の密度比になるように調整してもよい。
このように構成された情報処理システム１は、前記ラベル情報を表示する表示範囲の表示を、前記ラベル情報の値に応じた彩度、明るさ、若しくは、互いに異なる彩度又は明るさを示す領域の密度比になるように調整することで、上記の様々な表示方法によりラベル情報を表示することができる。これにより、情報処理システム１は、建物の利用状況を判読しやすく表示することができる。
【００８１】
（３）また、上記のように構成した情報処理システム１は、表示画面１００内に、前記代表値と前記ラベル情報とを表示する表示領域１２０（第１の表示領域）と、前記第１の期間のうちから指定された第２の期間に対応する前記第１の情報を表示する表示領域１３０（第２の表示領域）とが設けられている。収集データ表示処理部３３（第３表示処理部）は、何れかの前記第２の期間が指定された後、前記指定された第２の期間に対応する前記第１の情報を、前記指定に応じて表示領域１３０（第２の表示領域）に表示させてもよい。
このように構成された情報処理システム１は、何れかの前記第２の期間が指定された後、前記指定された第２の期間に対応する前記第１の情報を、前記指定に応じて表示領域１３０（第２の表示領域）に表示させることにより、建物の利用状況を判読しやすく表示することができる。
【００８２】
（４）また、上記のように構成した情報処理システム１の代表値表示処理部３２は、前記建物におけるエネルギー量の変化を示す情報を前記グラフ化して表示する。前記第１の情報が、前記エネルギー量の変化を示す一又は複数の種類の情報を含むようにしてもよい。
このように構成された情報処理システム１は、建物の利用状況をエネルギー量の変化に基づいて表示することにより、当該建物の利用状況を判読しやすく表示することができる。
【００８３】
（５）また、上記のように構成した情報処理システム１の代表値表示処理部３２は、前記建物における電力量の変化を前記グラフ化して表示する。前記第１の情報が、前記建物における電力量の変化を示す一又は複数の種類の情報を含むようにしてもよい。
このように構成された情報処理システム１は、建物の利用状況を電力量に基づいて判読しやすく表示することができる。
【００８４】
（６）また、上記のように構成した情報処理システム１の代表値表示処理部３２は、前記建物における外気温又は室温の変化を前記グラフ化して表示して、前記第１の情報が、前記建物の利用状況に係る一又は複数の種類の情報であり、前記一又は複数の種類の情報に前記建物における外気温又は室温を含むようにしてもよい。
このように構成された情報処理システム１は、建物の利用状況を外気温又は室温の変化を含む情報に基づいて判読しやすく表示することができる。
【００８５】
（７）また、上記のように構成した情報処理システム１の前記ラベル情報を表示する表示範囲が、前記生成された代表値を示すグラフを表示する範囲に重ねて定められていてもよい。
このように構成された情報処理システム１は、前記ラベル情報を、代表値を示すグラフを表示する範囲に重ねて表示することにより、建物の利用状況を判読しやすく表示することができる。
【００８６】
（８）また、上記のように構成した情報処理システム１のパターン分類結果表示処理部３１は、前記第１の情報を含む情報に基づいて前記第２の期間における前記第１の情報の変化の傾向がクラス分けされ、前記クラス分けの結果に基づいてラベル情報が生成されており、前記生成されたラベル情報を前記グラフに対応づけて表示させるようにしてもよい。
このように構成された情報処理システム１は、前記ラベル情報を、前記グラフに対応づけて表示することにより、建物の利用状況を判読しやすく表示することができる。
【００８７】
さらに、情報処理システム１を下記のように構成することができる。
情報処理システム１は、建物に付帯する設備の利用状態を、当該建物におけるエネルギー量の変化に基づいて解析する。分類処理部２０は、第１の期間より短い第２の期間が定められ、前記第１の期間が複数の前記第２の期間を含み、前記第１の期間のエネルギー量の変化を示す履歴情報に基づいて、前記第２の期間のエネルギー量の変化の傾向を、前記第２の期間ごとに分類して分類結果を記憶させる。学習処理部４０は、外部から取得した補正情報により、前記分類結果を補正して、前記補正された後の分類結果を記憶させる。判定処理部５０は、前記補正された後の分類結果に基づいて、前記履歴情報に対応する前記第1の期間より後の期間のエネルギー量の変化の傾向を判定するようにしてもよい。
このように構成された情報処理システム１は、外部から取得した補正情報により、前記分類結果を補正して、前記補正された後の分類結果を記憶させ、前記補正された後の分類結果に基づいて、前記履歴情報に対応する前記第1の期間より後の期間のエネルギー量の変化の傾向を判定する。
これにより、情報処理システム１は、建物に付帯する設備の利用状態を精度よく解析することができる。
【００８８】
また、上記の情報処理システム１の分類処理部２０は、制約条件なしの分類手法に従って、前記第２の期間のエネルギー量の変化の傾向を分類するようにしてもよい。
これにより、情報処理システム１は、制約条件なしの分類手法に従って、前記第２の期間のエネルギー量の変化の傾向を分類することから、建物に付帯する設備の利用状態を精度よく解析することができる。
【００８９】
また、上記の情報処理システム１の学習処理部４０は、教師付型の学習手法に従って、前記補正された後の分類結果に基づいて判定条件を学習する。判定処理部５０は、前記学習した判定条件に基づいて判定するようにしてもよい。
これにより、情報処理システム１は、教師付型の学習手法に従って、前記補正された後の分類結果に基づいて判定条件を学習し、前記学習した判定条件に基づいて判定することから、建物に付帯する設備の利用状態を精度よく解析することができる。
【００９０】
また、上記の情報処理システムにおいて、前記補正情報は、前記第２の期間において前記エネルギー量の変化に影響を与える情報に基づいて生成された情報であることを特徴とする。
これにより、情報処理システム１は、前記第２の期間において前記エネルギー量の変化に影響を与える情報に基づいて生成された情報を補正情報とすることから、建物に付帯する設備の利用状態を精度よく解析することができる。
【００９１】
以上、本発明の実施の形態について説明したが、本発明の情報処理システム１は、上述の図示例にのみ限定されるものではなく、本発明の要旨を逸脱しない範囲内において種々変更を加え得ることは勿論である。
例えば、上記の実施の形態において、情報処理システム１は、折れ線グラフにより、情報を表示するものとして説明したが、例えば、棒グラフなどの他の様式のグラフにして表示するようにしてもよい。
【符号の説明】
【００９２】
１  情報処理システム、１０  情報取得部、２０  分類処理部、
３０  表示処理部、３１  パターン分類結果表示処理部、３２  代表値表示処理部、
３３  収集データ表示処理部、４０  学習処理部、
５０  判定処理部、７０  記憶部、８０  通信処理部、９０  表示部
【図１】
0006511239.tif 000002
【図２】
0006511239.tif 000003
【図３】
0006511239.tif 000004
【図４】
0006511239.tif 000005
【図５】
0006511239.tif 000006
【図６】
0006511239.tif 000007
【図７】
0006511239.tif 000008
【図８】
0006511239.tif 000009
【図９】
0006511239.tif 000010
【図１０】
0006511239.tif 000011
【図１１】
0006511239.tif 000012
【図１２】
0006511239.tif 000013